(57)【特許請求の範囲】
【請求項１】
表示部を載置したプリント基板が裏面に取り付けられ、前記表示部を臨ませる表示窓とキー貼付部とを有する非金属製の操作パネルと、制御動作を設定するために調理器の制御回路と接続するスイッチ接点電極を有し、前記操作パネルのキー貼付部に貼り付けられるメンブレンキーボードと、前記表示窓と前記メンブレンキーボードとを覆うように前記操作パネルに取り付けられ、前記表示窓に対向する部分を除いて形成された印刷層を有する化粧フィルムと、前記メンブレンキーボードの前記化粧フィルム側に設けられ、静電気で帯電した使用者の指が前記化粧フィルムを触ったとき前記制御回路のアースラインに放電させるための導電層と、を備えたものにおいて、
前記化粧フィルムは、少なくとも前記表示窓の周囲に設けられ、一端を前記導電層と接触した、前記印刷層より導電性の高い第２印刷層を設けたことを特徴とする調理器の操作パネル。
【請求項２】
表示部を載置したプリント基板が裏面に取り付けられ、前記表示部を臨ませる表示窓とキー貼付部とを有する非金属製の操作パネルと、制御動作を設定するために調理器の制御回路と接続するスイッチ接点電極を有し、前記操作パネルのキー貼付部に貼り付けられるメンブレンキーボードと、前記表示窓と前記メンブレンキーボードとを覆うように前記操作パネルに取り付けられ、前記表示窓に対向する部分を除いて形成された印刷層を有する化粧フィルムと、前記メンブレンキーボードの前記化粧フィルム側に設けられ、静電気で帯電した使用者の指が前記化粧フィルムを触ったとき前記制御回路のアースラインに放電させるための導電層と、を備えたものにおいて、
少なくとも前記表示窓の周囲に設けられ、一端を前記導電層と接触すると共に、前記化粧フィルムとは別体の導電シートを設けたことを特徴とする調理器の操作パネル。
【請求項３】
表示部を載置したプリント基板が裏面に取り付けられ、前記表示部を臨ませる表示窓とキー貼付部とを有する非金属製の操作パネルと、制御動作を設定するために調理器の制御回路と接続するスイッチ接点電極を有し、前記操作パネルのキー貼付部に貼り付けられるメンブレンキーボードと、前記表示窓と前記メンブレンキーボードとを覆うように前記操作パネルに取り付けられ、前記表示窓に対向する部分を除いて形成された印刷層を有する化粧フィルムと、前記メンブレンキーボードの前記化粧フィルム側に設けられ、静電気で帯電した使用者の指が前記化粧フィルムを触ったとき前記制御回路のアースラインに放電させるための導電層と、を備えたものにおいて、
前記化粧フィルム裏面の少なくとも前記表示窓の周囲に設けられ、一端を前記導電層と接触すると共に、前記印刷層より導電性の高いワイヤーを設けたことを特徴とする調理器の操作パネル。
【発明の詳細な説明】
【０００１】
【産業上の利用分野】
この発明は、キー入力部や表示部を配置した調理器の操作パネルに関する。
【０００２】
【従来の技術】
従来の操作パネルは、例えば特開平８−３５６６８号公報に記載されている。
【０００３】
このものは、加熱源の制御用にマイクロコンピュータを用いた電子回路を内蔵し、前記電子回路への入力の取り込みをキーボードで行う構成とし、前記キーボードは表面側から化粧フィルム、絶縁シート、スペーサ、プリント基板の順に積み重ねて一体とし、さらに前記化粧フィルムと絶縁シートとの間に導電性シートを介在させるとともに、前記導電性シートをシャーシにアースしたことを特徴とするものである。
【０００４】
【発明が解決しようとする課題】
一般に、調理器の操作パネルは、様々な曲面への対応のため、非金属、特にＡＢＳなどの樹脂を用いて形成されている。また、化粧フィルムは、使用者に高級感や清潔感を与えるために、金属のように見せるメタリック系塗料を使用している。このメタリック系塗料は、より金属に見せるために金属燐を含み、導電性が他の塗料に比べ高くなっている。
【０００５】
そこで、静電気で帯電した指で、化粧フィルムに触ると、静電気は化粧フィルム表面を伝わり、キーボード側部を介して前記導電性シートに放電する。
【０００６】
前述の触る位置がキーボード付近であれば、キーボード裏面の導電性シートまであまり距離がないので、静電気は問題なく導電性シートに放電する。しかし、操作パネルの表示部付近を触ると、裏面に導電性シートが存在しないため、静電気は化粧フィルム表面から化粧フィルムの導電性の印刷層を伝わり、キーボード裏面の導電性シートをめがけて化粧フィルムの印刷層を流れる。
【０００７】
静電気が導電性シートまで伝わる経路が長いため、途中、表示部を臨ませるために絶縁シートを無くし化粧フィルムのみで形成した部分を通る経路や表示部脚部への経路の抵抗が、絶縁シート表面を通る経路の抵抗より小さければ、その部分で放電が発生する。この放電が発生すれば、表示部の端子より電子回路内に放電によるノイズが入り、電子回路が誤動作を起こしたり、最悪の場合破壊してしまう恐れがある。
【０００８】
本発明は、斯かる課題を解決するものである。
【０００９】
【課題を解決するための手段】
本発明の第１の調理器の操作パネルは、表示部を載置したプリント基板が裏面に取り付けられ、前記表示部を臨ませる表示窓とキー貼付部とを有する非金属製の操作パネルと、制御動作を設定するために調理器の制御回路と接続するスイッチ接点電極を有し、前記操作パネルのキー貼付部に貼り付けられるメンブレンキーボードと、前記表示窓と前記メンブレンキーボードとを覆うように前記操作パネルに取り付けられ、前記表示窓に対向する部分を除いて形成された印刷層を有する化粧フィルムと、前記メンブレンキーボードの前記化粧フィルム側に設けられ、静電気で帯電した使用者の指が前記化粧フィルムを触ったとき前記制御回路のアースラインに放電させるための導電層と、を備えたものにおいて、前記化粧フィルムは、少なくとも前記表示窓の周囲に設けられ、一端を前記導電層と接触した、前記印刷層より導電性の高い第２印刷層を設けたことを特徴とする。
【００１０】
また、本発明の第２の調理器の操作パネルは、表示部を載置したプリント基板が裏面に取り付けられ、前記表示部を臨ませる表示窓とキー貼付部とを有する非金属製の操作パネルと、制御動作を設定するために調理器の制御回路と接続するスイッチ接点電極を有し、前記操作パネルのキー貼付部に貼り付けられるメンブレンキーボードと、前記表示窓と前記メンブレンキーボードとを覆うように前記操作パネルに取り付けられ、前記表示窓に対向する部分を除いて形成された印刷層を有する化粧フィルムと、前記メンブレンキーボードの前記化粧フィルム側に設けられ、静電気で帯電した使用者の指が前記化粧フィルムを触ったとき前記制御回路のアースラインに放電させるための導電層と、を備えたものにおいて、少なくとも前記表示窓の周囲に設けられ、一端を前記導電層と接触すると共に、前記化粧フィルムとは別体の導電シートを設けたことを特徴とする。
【００１１】
また、本発明の第３の調理器の操作パネルは、表示部を載置したプリント基板が裏面に取り付けられ、前記表示部を臨ませる表示窓とキー貼付部とを有する非金属製の操作パネルと、制御動作を設定するために調理器の制御回路と接続するスイッチ接点電極を有し、前記操作パネルのキー貼付部に貼り付けられるメンブレンキーボードと、前記表示窓と前記メンブレンキーボードとを覆うように前記操作パネルに取り付けられ、前記表示窓に対向する部分を除いて形成された印刷層を有する化粧フィルムと、前記メンブレンキーボードの前記化粧フィルム側に設けられ、静電気で帯電した使用者の指が前記化粧フィルムを触ったとき前記制御回路のアースラインに放電させるための導電層と、を備えたものにおいて、前記化粧フィルム裏面の少なくとも前記表示窓の周囲に設けられ、一端を前記導電層と接触すると共に、前記印刷層より導電性の高いワイヤーを設けたことを特徴とする。
【００１２】
【発明の実施の形態】
図１及び図２において、１は本発明の調理器の一実施例となる電子レンジ本体、２は本体１に内設した加熱室、３は該加熱室２の前面開口を開閉するドア、４は樹脂（ＡＢＳなど）の非金属材料により形成された操作パネルである。該操作パネル４は、後述するマグネトロンの制御動作を設定するキー入力部５を下部に、また少なくとも前記設定内容を表示する表示部６を上部に配置している。また、本体１内は、加熱室２に隣接して電子部品などを配置する電装室１ａを有している。
【００１３】
７は被調理物８を載置するために加熱室２内に配置したターンテーブル、９は該ターンテーブルを回転するために加熱室２の底板の外下部に配置し、加熱室２の定板２ａを貫通させてターンテーブル７と連結する回転軸を有する回転モータである。
【００１４】
１０は導波管１１を介して加熱室２内の被調理物８にマイクロ波を供給するために、電装室１ａ内に配置され、加熱源となるマグネトロン、１２は加熱室２の電装室１ａと仕切られる側壁２ｂに設けた開口１３を介して加熱室２内の被調理物８の赤外線を検知して温度を検出する赤外線センサー、１４は電装室１ａ内に配置し、前記マグネトロン及び赤外線センサ１２に冷却風を供給する冷却ファンである。
【００１５】
前記赤外線センサ１２は、例えば図３に示すように、赤外線検知窓１２ａを有し、支点１６を中心に加熱室２の側壁２ｂへ回動可能に取り付けられた設置台１５に取り付けられている。該設置台１５は、冷却ファン１４からの冷却風を受ける風受け部１７を延設している。
【００１６】
また、設置台１５は、冷却ファン１４が動作していないとき、即ち加熱動作せず冷却ファン１４が冷却風を送風する必要がないとき、赤外線センサ１２が壁面２ｂの開口１３に対向しない位置、すなわち赤外線センサ１２の赤外線検出窓１２ａが開口１３と対向しない位置に、支点１６を中心にして移動配置するように付勢するばね１８が、側壁２ｂとの間に取り付けられている。
【００１７】
斯かる赤外線センサの構成において、加熱動作を行っていないときは、冷却ファン１４が回転せず、冷却風が供給されていないので、図３に示すように、赤外線検知窓１２ａが開口１３と対向しない位置に、ばね１８の付勢力により赤外線センサ１２を配置する。そして、加熱動作時、冷却ファン１４が回転し、冷却風をマグネトロン１０などに供給する。このとき、冷却風が風受け部１７に当接し、ばね１８の付勢力より勝って、支点１６を中心に設置台１５を回転させ、図４に示すように、赤外線検知窓１２ａが開口１３に対向する位置に配置する。この状態は、冷却風が冷却ファン１４より供給されている間保持される。
【００１８】
赤外線センサは、図４に示すように配置している間に、被加熱物８の赤外線を開口１３を介して検知し、温度を検出する。このようにして、必要なとき、即ち加熱時のみ開口１３から赤外線検知窓１２ａを望む構成としているので、赤外線検知窓１２ａを不所望に汚すことを防止し、検出温度誤差を抑制するものである。
【００１９】
図５において、操作パネル４の構成をさらに説明する。
【００２０】
１９は表示部６を載置したプリント基板、２０はキー入力部５と対応する部分に配置されたメンブレンキーボード、２１は化粧フィルムである。
【００２１】
まず、操作パネル４は、下部に前記メンブレンキーボード２０を接着して取り付けるキー貼付部４ａと、上部に表示部６を臨ませる表示窓４ｂとが設けられている。
【００２２】
前記プリント基板１９は、前記操作パネル４の裏面に取り付けられるとともに、加熱源を制御する制御部の部品が載置され、さらに前記表示窓４ｂと対向する位置に表示部６が載置されている。
【００２３】
また、プリント基板１９は、図１１に示すように、メイン基板１９ａとサブ基板１９ｂとで構成され、メイン基板１９aとサブ基板１９ｂとの境界には、分離しやすいようにスリット１９ｃが設けられている。製品によって回路規模が異なるので、回路規模の大きな製品の制御回路は、スリット１９ｃ間の連結部１９ｄに配線パターン１９ｅを配置して、サブ基板１９ｂも使用して制御回路を構成し、また回路規模の小さな制御回路は、メイン基板１９ａのみで制御回路を構成し、サブ基板１９ｂは境界のところで、分離して使用しないような構成としている。したがって、プリント基板１９は、制御回路の回路規模に応じて、プリント基板の大きさを自由に選択でき、プリント基板１９のコスト削減に寄与できるものとなっている。
【００２４】
前記メンブレンキーボード２０は、図６に示すように、スイッチ接点電極２２ａ、２２ｂ及び各接点を接続する配線２２ｃが印刷されたメンブレンシート２２と、該メンブレンシート２２を半分に曲げて合わせることでスイッチ接点電極２２ａと２２ｂとを対向させかつ所定距離を離して配置するためのスペーサ２３と、メンブレンシート２２を半分に曲げて形成した一面２２ｄ、すなわち化粧フィルム２１と対向する面に設けた例えば金属箔などの導電層２４と、から構成されている。
【００２５】
また、メンブレンシート２２は、配線２２ｃを延設してプリント基板１９の制御回路２５と接続するための信号ライン２６と、導電層２４と制御回路２５のアースライン２７とを接続するための接続部２８とを備えている。なお、前記操作パネル４のキー貼付部４ａと対向する面２２ｅには、キー貼付部４ａに貼り付けるための粘着のり２９が設けられている。
【００２６】
前記化粧フィルム２１は、図７に示すように、透明フィルム層３０と、該透明フィルム層３０の裏面にキーなどを描いて印刷した印刷層３１と、該印刷層３１の裏面に印刷をはっきり使用者に見せるための白色の絶縁層３２とを有している。
【００２７】
該化粧フィルム２１は、操作パネル４に配置したメンブレンキーボード２０及び表示部６を覆うように操作パネル４上に取り付けられている。したがって、印刷層３１及び白色の絶縁層３２は表示窓４ｂに対向する部分を除いてほぼ全面に施されている。
【００２８】
また、メンブレンキーボード２０と対向する部分の絶縁層３２は、図５に示すように、所々除去された除去箇所３３が設けられ、印刷層３１と導電層２４とが接触するように構成されている。
【００２９】
斯かる構成により、静電気で帯電した指で操作パネル４に触っても、印刷層３１を介して導電層２４に放電するので、ノイズが制御回路２５まで届かず、誤動作を防止することができる。
【００３０】
図９に本発明の第２の実施例となる操作パネルを示している。この操作パネルは、化粧フィルム２１の絶縁層３２のさらに裏面に、印刷層３１より導電性が高い塗料で形成した第２印刷層３４を設けている。
【００３１】
斯かる構成により、静電気で帯電した指で操作パネル４に触っても、静電気は印刷層３１を介し、さらにその裏面の第２印刷層３４に流れ、該第２印刷層３４から導電層２４に静電気が流れて、アースライン２８に逃すことになり、ノイズを制御回路２５に入り込まないようにしている。さらに、キー入力部５より離れた表示部６の周囲を触っても、第２印刷層３４を介して導電層２４に流れるので、表示窓４ｂ付近で放電が起こり、表示部６の端子から制御回路２５にノイズが入り込むことを防ぐことができる。
【００３２】
なお、前記第２印刷層３４は、少なくとも表示部６の周囲の絶縁層裏面に設け、かつ一端を導電層２４と接触していればよい。また、第２印刷層３４の代わりに、化粧フィルム２１とは別体の導電性シートを挟むようにしても良い。
【００３３】
図１０に本発明の第３の実施例となる操作パネルを示している。この操作パネルは、化粧フィルム２１の裏面に、印刷層３１より導電性が高く一端を導電層２４に接触させているワイヤー３５が配置され、操作パネル４に帯電した指で触っても、静電気が印刷層３１からワイヤー３５を介して導電層２４に静電気が流れ、アースライン２８に導いている。
【００３４】
斯かる構成により、制御回路２５にノイズが入り込んで誤動作するのを防止している。
【００３５】
なお、ワイヤー３５は、少なくとも表示部６の周囲に配置すればよい。
【００３６】
【発明の効果】
この発明によれば、静電気に対し、誤動作することを抑制でき、安定した動作を提供できるようになるものである。
【図面の簡単な説明】
【図１】本発明の電子レンジの外観図である。
【図２】図１の電子レンジの断面図である。
【図３】赤外線センサの取り付け構造を示す図である。
【図４】赤外線センサの動きを説明する図である。
【図５】操作パネルの分解斜視図である。
【図６】メンブレンキーボードの断面図である。
【図７】第１の実施例の化粧フィルムの断面図である。
【図８】図７の化粧フィルムの裏面から見た図である。
【図９】第２の実施例の化粧フィルムの断面図である。
【図１０】第３実施例の化粧フィルムを裏面から見た図である。
【図１１】プリント基板の構成を示した外観図である。
【符号の説明】
４          操作パネル
２１        化粧フィルム
２４        導電層
３１        印刷層
３４        第２印刷層
３５        ワイヤー
【図１】
0003702154.tif 000002
【図２】
0003702154.tif 000003
【図３】
0003702154.tif 000004
【図４】
0003702154.tif 000005
【図５】
0003702154.tif 000006
【図６】
0003702154.tif 000007
【図７】
0003702154.tif 000008
【図８】
0003702154.tif 000009
【図９】
0003702154.tif 000010
【図１０】
0003702154.tif 000011
【図１１】
0003702154.tif 000012